(57)【要約】【課題】書籍の綴じ目を損傷させず、かつページを歪みなく明確に撮影することができる資料提示装置を提供する。【解決手段】ミラー面が平行に対面する第１のミラー枠３１と第２のミラー枠３２とをプレート２１上に回動自在に支持する。開いた書籍の綴じ目に第１のミラー枠３１の端縁を当てた状態で、撮影する側のページ束をプレート２１上に置き、他方のページ束をプレート２１側に９０゜以下で傾倒させて第１のミラー枠３１で保持する。第１のミラー４１にプレート２１上の開いたページを映し、その反射像を第２のミラー４２に映し、第２のミラー４２の反射像をカメラ１３で撮影する。【選択図】　　　　図１
2004064621.tif 000002
【特許請求の範囲】
【請求項１】
資料を撮影する撮像部と、
書籍の開き角度を９０゜以下に保持する保持手段と、
この保持手段によって開いた状態に保持された書籍の一方のページを映し、その反射像を前記撮像部に導くミラー手段とを備えることを特徴とする資料提示装置。
【請求項２】
前記ミラー手段は、前記一方のページを一次反射像として直接映す第１のミラー手段と、この第１のミラー手段の一次反射像を二次反射像として映し、この二次反射像を前記撮像部に導く第２のミラー手段とを備えていることを特徴とする請求項１に記載の資料提示装置。
【請求項３】
前記ミラー手段は、前記一方のページを直接映す第１のミラー手段のみとされ、この第１のミラー手段に映る前記一方のページの反射像を撮影可能とすべく、前記撮像部が移動自在に支持されていることを特徴とする請求項１に記載の資料提示装置。
【請求項４】
前記保持手段は、
書籍が載置される書籍載置台と、
この書籍載置台に回動自在に支持された枠体と、
この枠体内に該枠体の回動軸線に対して接離する方向にスライド自在に設けられた前記第１のミラー手段とを備えることを特徴とする請求項２または３に記載の資料提示装置。
【請求項５】
前記第１のミラー手段を枠体の回動軸に近づく方向に付勢する付勢手段を有することを特徴とする請求項４に記載の資料提示装置。
【請求項６】
前記撮像部による撮影画像を左右反転および／または天地反転させる画像処理部を有することを特徴とする請求項１〜５のいずれかに記載の資料提示装置。
【請求項７】
前記保持手段と前記ミラー手段とが１つのユニットとして構成され、該ユニットが取り外し可能に装備されていることを特徴とする請求項１〜６のいずれかに記載の資料提示装置。
【発明の詳細な説明】
【０００１】
【発明の属する技術分野】
本発明は、原稿、写真、立体物等の資料を撮影し、その撮影画像をＣＲＴや液晶ディスプレイ等のモニタやスクリーン等に表示させる資料提示装置に関する。
【０００２】
【従来の技術】
モニタ等に上記資料を表示し、その画像を参照しながら聴衆に対して資料の内容をプレゼンターが説明するプレゼンテーションを行う場合、近年では、資料提示装置が用いられている。資料提示装置は、一般に、資料を被写体とする動画用のカメラと、資料を置く資料載置台とを有し、カメラで撮影した資料の画像をモニタに出力するようにして用いられる。
【０００３】
このような資料提示装置では、書籍（例えば辞典、参考書等）を資料として撮影する場合があり、その際には図７（ａ）に示すように、資料載置台５１上で書籍Ｂを開き、映したいページをカメラ５２で撮影していた。ところがこれでは、書籍Ｂに綴じ癖があることから開いたページは湾曲して平面に保持することが難しく、特に綴じ目付近は大きな曲率で湾曲する。このため、カメラ５２による撮影画像は図７（ｂ）に示すように歪んでしまい、しかもカメラ５２の焦点がページ全面に合わずぼけるので、判別し難くなる。ページをなるべく平面にしようと強い力で押さえればある程度は満足できる撮影画像を得ることができるが、その場合には綴じ目を損傷するおそれがあるとともに、使用者の負担が増大する。このような問題は、書籍が厚ければ厚いほど顕著に起こる。そこで特開平５−３０８５４７号公報には、透明な平面板に書籍を伏せて載置し、下側からカメラによってページを撮影する技術が提案されている。
【０００４】
【発明が解決しようとする課題】
上記公報に記載の技術によれば、平面板にページが密着することによりページが平面化するといった作用が生じるが、厚い書籍では綴じ目付近の湾曲を完全に抑えることは困難であり、しかも、綴じ目に対する負担が大きくなるので損傷を招くおそれがあった。
よって本発明は、書籍の綴じ目を損傷させず、かつページを歪みなく明確に撮影することができる資料提示装置を提供することを目的としている。
【０００５】
【課題を解決するための手段】
本発明は、資料を撮影する撮像部と、書籍の開き角度を９０゜以下に保持する保持手段と、この保持手段によって開いた状態に保持された書籍の一方のページを映し、その反射像を撮像部に導くミラー手段とを備えることを特徴とする。
【０００６】
本発明によれば、保持手段によって書籍を９０゜以下の角度に開かれた状態に保持し、その状態では綴じ目付近の湾曲が生じにくく、開かれたページの全面が平面となる。その平面のページをミラー等のミラー手段に映し、ミラー手段に映った反射像（ページ像）を撮影部により撮影する。したがって、厚い書籍であろうと歪みのないページを明確に撮影することができる。また、書籍の開き角度が９０゜以下なので、綴じ目を損傷させるおそれがない。
【０００７】
本発明に係るミラー手段は、撮影するページを一次反射像として直接映す第１のミラー手段と、この第１のミラー手段の一次反射像を二次反射像として映し、この二次反射像を撮像部に導く第２のミラー手段とを備えた構成が挙げられる。また、ミラー手段としては、撮影するページを直接映す第１のミラー手段のみとする場合もあり、その場合には、第１のミラー手段に映るページの反射像を撮影可能とすべく、撮像部を移動自在に支持する。
【０００８】
本発明に係る保持手段の具体例としては、書籍が載置される書籍載置台と、この書籍載置台に回動自在に支持された枠体と、この枠体内に該枠体の回動軸線に対して接離する方向にスライド自在に設けられた第１のミラー手段とを備えたものが挙げられる。この保持手段は、第１のミラー手段が保持手段の一部を構成している。この保持手段によると、次のようにして書籍が開いた状態に保持される。まず、第１のミラー手段を枠体の回動軸線から離れる方向にスライドさせ、第１のミラー手段と書籍載置台の隙間に、開いた書籍の一方のページ束をくぐらせ、綴じ目が枠体の回動軸に沿う状態として一方のページ束を書籍載置台に置く。次いで、第１のミラー手段を枠体の回動軸線側にスライドさせてその端縁を綴じ目に当て、書籍の他方のページ束を第１のミラー手段に載せる。開いたページ間の綴じ目が第１のミラー手段の端縁を挟んだ状態で書籍は９０゜以下の開き角度に保持される。第１のミラー手段には書籍載置台に置いたページ束の開いたページが映り、このページの反射像が撮像部によって撮影される。
【０００９】
このような保持手段において、第１のミラー手段が付勢手段によって枠体の回動軸に近づく方向に付勢されていると、第１のミラー手段の端縁を綴じ目に当てやすいので書籍のセット作業が容易となり、また、開いたページの平面性を僅かな力で保持できる。また、枠体は任意の角度位置で停止可能に、高い摩擦を持って支持されるか、あるいはラッチ等を用いたフリーストップ機構を介して支持されていると、書籍が開いた状態を確実に保持できるので好ましい。また、あらかじめ設定された角度に、ラッチ等によって保持されるようにしてもよい。
【００１０】
上記保持手段を用いた場合、第２のミラー手段を備えたものにおいては、その第２のミラー手段は第１のミラー手段に対面して配置され、かつ、第１のミラー手段と同様に書籍載置台に回動自在に支持された構成とする。第２のミラー手段は第１のミラー手段と平行あるいはそれに近い状態が好ましく、これにより、第１のミラー手段に映ったページの一次反射像は第２のミラー手段に映り、第２のミラー手段による二次反射像が撮像部によって撮影される。第２のミラー手段も上記のようにフリーストップ機構を介して支持されていれば、自身の角度を安定させることができるので好ましい。また、第１および第２のミラー手段を連結して常に平行な状態が保持されるようにしてもよい。また、あらかじめ設定された角度に、ラッチ等によって保持されるようにしてもよい。
【００１１】
本発明では、ミラー手段の反射像が左右反転および／または天地反転する場合があり、その場合を考慮して、撮像部による撮影画像を必要に応じて左右反転および／または天地反転させる画像処理部を装備させるとよい。この場合の左右反転とは、鏡像を正像に直すことである。
【００１２】
また、本発明では、保持手段とミラー手段とを１つのユニットとして構成し、該ユニットを取り外し可能に装備した構成とすることができる。これによると、撮影する資料が書籍の場合にはユニットを装備させて用い、資料が書籍以外の場合には、ユニットを取り外して通常の形態で資料提示装置を使用することができる。
【００１３】
【発明の実施の形態】
以下、図面を参照して本発明の実施形態を説明する。
（１）第１実施形態：図１〜図５
図１および図２（ａ）は、第１実施形態に係るプレゼンテーション用の資料提示装置１を示している。この資料提示装置１は、装置本体１０Ａと、装置本体１０Ａにセットして使用する書籍提示用ユニット（保持手段）２０Ａとから構成されている。装置本体１０Ａは、資料載置台１１と、この資料載置台１１の奥側に設けられたアーム１２と、アーム１２の先端に固定されたカメラ（撮像部）１３とを備えている。
【００１４】
装置本体１０Ａによれば、資料載置台１１上に資料を置き、その資料をカメラ１３で撮影し、カメラ１３による撮影画像データが画像出力端子に接続された画像出力装置に出力される。画像出力端子は、資料載置台１１の背面等に配置される。画像出力装置は、ＣＲＴや液晶ディスプレイ等のモニタ、あるいは液晶プロジェクタ等である。モニタの場合は、そのモニタにカメラ１３による撮影画像が表示される。また、液晶プロジェクタの場合は、その液晶プロジェクタからスクリーン等にカメラ１３による撮影画像が投影される。本実施形態の装置本体１０Ａは、カメラ１３が撮影した画像を天地反転および左右反転をそれぞれ行わせて外部に出力させる画像処理部を有している。
【００１５】
図３は書籍提示用ユニット２０Ａを示しており、同図に示すように、該ユニット２０Ａは、矩形状で書籍を載置するためのプレート（書籍載置台）２１を備えている。このプレート２１の上面の一端縁には、コ字状の枠体２２がヒンジ結合されている。枠体２２は、一対の平行なガイド部２２ａと、これらガイド部２２ａの先端部を連結する連結部２２ｂとからなるもので、各ガイド部２２ａの基端部が、プレート２１に形成された突起状の軸受２１ａを介してプレート２１に回動自在に支持されている。枠体２２は、任意の角度位置で停止可能なように、高い摩擦を持ってヒンジ結合されるか、あるいはラッチ等を用いたフリーストップ機構を介してヒンジ結合されている。また、あらかじめ設定された角度に、ラッチ等によって保持されるようにしてもよい。
【００１６】
各ガイド部２２ａの互いの対向面には支持枠の長手方向に延びるスリット２３が形成されており、これらスリット２３に、第１のミラー枠（第１のミラー手段）３１がスライド自在に嵌め込まれている。第１のミラー枠３１はスリット２３に沿ってスライドし、そのスライド操作は、第１のミラー枠３１に形成されて枠体２２の連結部２２ｂを貫通するノブ３１ａが用いられる。第１のミラー枠３１を連結部２２ｂの方向にスライドさせると、第１のミラー枠３１とプレート２１との間に書籍が挟まれる隙間が空く。この隙間を大きくとれるようにすれば、様々な厚い書籍に対応可能とされる。第１のミラー枠３１の内側の面、すなわち第１のミラー枠３１がプレート２１側に倒れた場合にプレート２１に対面する側の面には、第１のミラー４１が貼られている。
【００１７】
図４（ａ），（ｂ）に示すように、枠体２２の各ガイド部２２ａの連結部側の端部にはコイルスプリング２４が内蔵されており、このコイルスプリング２４により、第１のミラー枠３１はヒンジ軸側に常に付勢されている。
【００１８】
図３に示すように、プレート２１上における枠体２２が取り付けられた側とは反対側の端縁には、第２のミラー枠（第２のミラー手段）３２が、円筒状の軸受２１ｂを介して回動自在にヒンジ結合されている。第２のミラー枠３２の回転軸は、第１のミラー枠３１の回転軸と平行である。この第２のミラー枠３２の内側には、第２のミラー４２が貼られている。第２のミラー枠３２も、上記枠体２２と同様に、任意の角度位置で停止可能なように、高い摩擦を持ってヒンジ結合されるか、あるいはラッチ等を用いたフリーストップ機構を介してヒンジ結合されている。また、あらかじめ設定された角度に、ラッチ等によって保持されるようにしてもよい。
【００１９】
図５（ａ）に示すように、書籍提示用ユニット２０Ａは、第２のミラー枠３２をプレート２１側に倒し、次いで第１のミラー枠３１をプレート２１側に倒すことにより折り畳まれ、この折り畳み状態でコンパクトに保管することができるようになっている。
【００２０】
次に、図５を参照して書籍提示用ユニット２０Ａの使用方法ならびに作用を説明する。はじめに、図５（ａ）に示した折り畳み状態で装置本体１０Ａの資料載置台１１に書籍提示用ユニット２０Ａのプレート２１を置く。次に、図５（ｂ）に示すように第１のミラー枠３１を９０゜以下（４０゜〜５０゜が望ましい）の角度に開いてから、図５（ｃ）に示すように第２のミラー枠３２を第１のミラー枠３１と平行になる角度まで開く。このように両ミラー枠３１，３２を開いた状態から、第１のミラー枠３１をプレート２１から離れる方向に引っ張り上げて第１のミラー枠３１とプレート２１との間に隙間を空ける。
【００２１】
次に、図５（ｄ）に示すように、書籍Ｂを開いて撮影するページ（この場合左側のページ）を出し、その左側のページ束を第１のミラー枠３１とプレート２１との間の隙間にくぐらせ、書籍Ｂの綴じ目Ｂ１が枠体２２の回動軸に沿う状態として左側のページ束をプレート２１に置く。次に、第１のミラー枠３１をプレート２１側にスライドさせてその端縁を書籍Ｂの綴じ目Ｂ１に当て、書籍Ｂの開き側である右側のページ束を第１のミラー枠３１に載せる。これによって図５（ｅ）に示すように、開いたページ間の綴じ目Ｂ１が第１のミラー枠３１を挟んだ状態で書籍Ｂは９０゜以下の開き角度に保持される。
【００２２】
図１および図２（ａ）は、上記の手順によって書籍Ｂを書籍提示用ユニット２０Ａにセットした状態を示している。この状態で、図２（ａ）に示すように、第１のミラー４１には左側のページが一次反射像として映り、この一次反射像が第２のミラー４２に二次反射像として映る。第１のミラー４１に映る一次反射像は左右反転しているが、第２のミラー４２に映る二次反射像は一次反射像の左右反転であるから、ページが正常に映っている。必要に応じて第２のミラー４２が上方のカメラ１３の撮影範囲に収まるように書籍提示用ユニット２０Ａの位置を調整し、これによって左側のページがカメラ１３によって撮影される。
【００２３】
書籍Ｂの右側のページをカメラ１３で撮影するには、書籍Ｂを天地反転させて右側のページ束をプレート２１に載せる。このままの状態では、カメラ１３の撮影画像は天地反転の状態であるから、画像処理部でカメラ１３の撮影画像を天地反転させればよい。また、書籍提示用ユニット２０Ａ全体を天地反転させて置いてもよい。
【００２４】
上記実施形態によれば、枠体２２および第１のミラー４１によって書籍Ｂを９０゜以下の角度に開かれた状態に保持し、その状態では綴じ目Ｂ１付近の湾曲が生じにくく、開かれたページの全面が平面となる。その平面のページを第１および第２のミラー４１，４２に映し、第２のミラー４２に映った二次反射像をカメラ１３により撮影するので、書籍が厚くても図２（ｂ）に示すように歪みのないページを明確に撮影することができる。
【００２５】
また、書籍Ｂが開いた状態を保持するための第１のミラー枠３１がコイルスプリング２４によって常に第１のミラー枠３１の回動軸に近づく方向に付勢されていることから、第１のミラー枠３１の端縁を綴じ目Ｂ１に当てやすく、これによって書籍Ｂのセット作業が容易となり、しかも、開いたページの平面性を僅かな力で保持できる。
【００２６】
なお、第１および第２のミラー４１，４２の角度は同じ、つまり両者が平行であることが望ましいが、カメラ１３にページの画像を導くことができ、また、生じる台形歪みが許容できる範囲であれば、両者の角度は異なっていてもよい。第１および第２のミラー４１，４２を平行とするために、枠体２２と第２のミラー枠３２を取り外し可能なバー等で連結してもよい。
【００２７】
本実施形態の資料提示装置１０Ａでは、撮影する資料が書籍の場合には上記のようにして書籍提示用ユニット２０Ａを用い、撮影する資料が書籍以外の場合には、書籍提示用ユニット２０Ａを資料載置台１１から除去し、装置本体１０Ａにより通常の形態で資料を撮影すればよい。
【００２８】
（２）第２実施形態：図６
図６は、本発明の第２実施形態に係る資料提示装置２を示している。この実施形態の書籍提示用ユニット（保持手段）２０Ｂは、上記第１実施形態の第２のミラー枠３２をプレート２１に取り付けておらず、第１のミラー４１の反射像をカメラ１３で撮影する形態となっている。第１のミラー４１の反射像は略水平方向（図６で左方向）に導かれるので、これに対応して装置本体１０Ｂのカメラ１３を支持するアーム１２が屈曲するように構成されている。すなわち、この場合のアーム１２は、資料載置台１１に設けられる固定側の基部１２ａと、この基部１２ａの上端に回転軸１４を介して左右方向に傾倒するよう回転自在に支持された可動部１２ｂとからなる。可動部１２ｂは、基部１２ａに対して適宜な固定手段（例えばねじ止めやラッチ）によって任意の角度で固定できるようになっている。
【００２９】
この第２実施形態によれば、上記第１実施形態と同様に、資料載置台１１の上に書籍提示用ユニット２０Ｂを置き、枠体２２および第１のミラー４１によって書籍Ｂを開いた状態にセットし、プレート２１側のページを第１のミラー４１に反射させる。また、アーム１２の可動部１２ｂを回転させてカメラ１３の撮影範囲を第１のミラー４１に合わせる。これにより、第１のミラー４１に映るページの反射像はカメラ１３で撮影される。なお、このままではカメラ１３の撮影画像は左右反転しているので、画像処理部でカメラ１３の撮影画像を左右反転させる、すなわち鏡像を正像に直す。また、書籍Ｂの右側のページをカメラ１３で撮影するには、書籍Ｂを天地反転させて右側のページ束をプレート２１に載せ、さらに画像処理部でカメラ１３の撮影画像を天地反転させればよい。また、書籍提示用ユニット２０Ｂ全体を天地反転させて置き、アーム１２を反対側に倒してもよい。
【００３０】
【発明の効果】
以上説明したように、本発明によれば、保持手段によって開き角度を９０゜以下に保持した書籍の一方のページをミラー手段に映し、その反射像を撮像部で撮影するので、書籍の綴じ目を損傷させず、かつページを歪みなく明確に撮影することができるといった効果を奏する。
【図面の簡単な説明】
【図１】本発明の第１実施形態の資料提示装置の斜視図である。
【図２】（ａ）第１実施形態の資料提示装置の正面図、（ｂ）該装置による書籍のページの撮影画像である。
【図３】第１実施形態の書籍提示用ユニットの斜視図である。
【図４】（ａ）図３Ｘ−Ｘの横断面図、（ｂ）図３Ｘ−Ｘの縦断面図である。
【図５】第１実施形態の書籍提示用ユニットの使用手順を示す図である。
【図６】本発明の第２実施形態の資料提示装置の正面図である。
【図７】（ａ）従来の資料提示装置によって書籍を撮影している状態の正面図、（ｂ）該装置による書籍のページの撮影画像である。
【符号の説明】
１，２…資料提示装置
１３…カメラ（撮像部）
２０Ａ，２０Ｂ…書籍提示用ユニット（保持手段）
２１…プレート（書籍載置台）
２２…枠体
２４…付勢手段
３１…第１のミラー枠（第１のミラー手段）
３２…第２のミラー枠（第２のミラー手段）
Ｂ…書籍
Ｂ１…綴じ目
【図１】
2004064621.tif 000003
【図２】
2004064621.tif 000004
【図３】
2004064621.tif 000005
【図４】
2004064621.tif 000006
【図５】
2004064621.tif 000007
【図６】
2004064621.tif 000008
【図７】
2004064621.tif 000009